(57)【要約】【課題】小型・軽量であり、且つ、照明光を効率的に射出できる照明装置を提供する。【解決手段】第１の波長帯の第１の光束ＢＬを射出する光源と、第１の波長帯の光により励起されて、第１の波長帯とは異なる第２の波長帯の光を生成する蛍光体層３２と、蛍光体層３２を支持する基材３３と、を含む蛍光発光素子２８と、第１の波長帯の光に対して偏光分離機能を有すると共に、第２の波長帯の光を透過又は反射する偏光分離素子５０Ａと、偏光分離素子５０Ａと蛍光体層３２との間の光路中に配置された位相差板２６と、位相差板２６と蛍光体層３２との間の光路中に配置され、第１の光束ＢＬの一部を偏光分離素子５０Ａに向けて反射し、第１の光束ＢＬの他の一部を蛍光体層３２に向けて透過させる第１の反射部と、蛍光体層３２の第１の反射部とは反対側に配置され、蛍光体層３２で生成された光を反射する第２の反射部と、を有する。【選択図】図２
2014199401.tif 000002
【特許請求の範囲】
【請求項１】
第１の波長帯の第１の光束を射出する光源と、
前記第１の波長帯の光により励起されることによって、前記第１の波長帯とは異なる第２の波長帯の光を生成する蛍光体層と、該蛍光体層を支持する基材と、を含む蛍光発光素子と、
前記光源と前記蛍光体層との間の光路中に設けられ、前記第１の波長帯の光に対して偏光分離機能を有すると共に、前記第２の波長帯の光を透過又は反射する偏光分離素子と、
前記偏光分離素子と前記蛍光体層との間の光路中に配置された位相差板と、
前記位相差板と前記蛍光体層との間の光路中に配置され、前記第１の光束の一部を前記偏光分離素子に向けて反射し、前記第１の光束の他の一部を前記蛍光体層に向けて透過させる第１の反射部と、
前記蛍光体層の前記第１の反射部とは反対側に配置され、前記蛍光体層で生成された光を反射する第２の反射部と、を有することを特徴とする照明装置。
【請求項２】
前記位相差板として、１／４波長板を用いることを特徴とする請求項１に記載の照明装置。
【請求項３】
前記第１の反射部は、拡散反射面であることを特徴とする請求項１又は２に記載の照明装置。
【請求項４】
前記拡散反射面は、前記蛍光体層の表面にテクスチャ加工又はディンプル加工を施すことによって形成されていることを特徴とする請求項３に記載の照明装置。
【請求項５】
前記第２の反射部は、鏡面反射面であることを特徴とする請求項１〜４の何れか一項に記載の照明装置。
【請求項６】
前記鏡面反射面は、前記蛍光体層と前記基材との間に設けられた反射膜であることを特徴とする請求項５に記載の照明装置。
【請求項７】
前記基材は、前記蛍光体層の前記第１の光束の他の一部が入射する面とは反対側に設けられ、
前記鏡面反射面は、前記基材の表面が光反射特性を有することによって構成されていることを特徴とする請求項５に記載の照明装置。
【請求項８】
前記蛍光体層の側面に設けられた光反射特性を有する無機接着剤によって、前記蛍光体層が前記基材に取り付けられていることを特徴とする請求項１〜７の何れか一項に記載の照明装置。
【請求項９】
前記光源として、半導体レーザーを用い、前記偏光分離素子に入射するときの前記第１の光束の偏光方向を、前記偏光分離素子が透過させる偏光光の偏光方向と前記偏光分離素子が反射させる偏光光の偏光方向とのうち何れか一方と一致させることを特徴とする請求項１〜８の何れか一項に記載の照明装置。
【請求項１０】
前記光源として、複数の前記半導体レーザーを配列したアレイ光源を用いることを特徴とする請求項９に記載の照明装置。
【請求項１１】
前記光源と前記偏光分離素子との間にコリメータ光学系が配置されていることを特徴とする請求項１〜１０の何れか一項に記載の照明装置。
【請求項１２】
第３の波長帯の第３の光束を射出する第２光源をさらに有し、
前記第１の反射部は、前記第３の光束を前記偏光分離素子に向けて反射することを特徴とする請求項１〜１１の何れか一項に記載の照明装置。
【請求項１３】
照明光を照射する照明装置と、
前記照明光を画像情報に応じて変調した画像光を形成する光変調装置と、
前記画像光を投射する投射光学系と、を備え、
前記照明装置として、請求項１〜１２の何れか一項に記載の照明装置を用いることを特徴とするプロジェクター。
【発明の詳細な説明】
【技術分野】
【０００１】
本発明は、照明装置及びプロジェクターに関する。
【背景技術】
【０００２】
従来より、照明装置から射出された照明光により光変調装置を照明し、その光変調装置により変調されて射出された画像光を投射光学系によりスクリーンに拡大投射するプロジェクターが広く知られている。
【０００３】
プロジェクターの光源には、超高圧水銀ランプなどの放電ランプが従来より用いられる。一方、この種の放電ランプは、寿命が比較的短い、瞬時点灯が難しい、ランプから放射される紫外線が液晶パネルを劣化させるなどの課題がある。
【０００４】
そこで、放電ランプに代わるプロジェクター用の光源として、高輝度・高出力な光が得られる半導体レーザー（ＬＤ）などのレーザー光源が注目されている。レーザー光源は、従来の放電ランプ等に比べて、小型化が図れることや、色再現性に優れること、瞬時点灯が可能であること、長寿命であることなどの利点を有している。
【０００５】
また、レーザー光源を用いた照明装置では、半導体レーザーから射出された励起光（青色光）と、この励起光により蛍光体を励起することによって生成された蛍光光（黄色光）とを利用することが行われている。（例えば、特許文献１を参照。）。
【先行技術文献】
【特許文献】
【０００６】
【特許文献１】特開２０１２−１２３１７９号公報
【発明の概要】
【発明が解決しようとする課題】
【０００７】
特許文献１に記載の光源装置では、蛍光体が設けられた発光領域と、蛍光体が設けられていない非発光領域とが、回転蛍光ホイールの周方向に交互に配置されている。これによれば、発光領域から射出される蛍光光（黄色光）と、非発光領域で反射された励起光（青色光）とが交互に射出されるため、白色光が射出されているように見えるが、実際には白色光が射出されているのではない。
【０００８】
本発明は、このような従来の事情に鑑みて提案されたものであり、小型・軽量であり、且つ、照明光を効率的に射出することができる照明装置、並びにそのような照明装置を備えたプロジェクターを提供することを目的とする。
【課題を解決するための手段】
【０００９】
上記目的を達成するために、本発明に係る照明装置は、第１の波長帯の第１の光束を射出する光源と、前記第１の波長帯の光により励起されることによって、前記第１の波長帯とは異なる第２の波長帯の光を生成する蛍光体層と、該蛍光体層を支持する基材と、を含む蛍光発光素子と、前記光源と前記蛍光体層との間の光路中に設けられ、前記第１の波長帯の光に対して偏光分離機能を有すると共に、前記第２の波長帯の光を透過又は反射する偏光分離素子と、前記偏光分離素子と前記蛍光体層との間の光路中に配置された位相差板と、前記位相差板と前記蛍光体層との間の光路中に配置され、前記第１の光束の一部を前記偏光分離素子に向けて反射し、前記第１の光束の他の一部を前記蛍光体層に向けて透過させる第１の反射部と、前記蛍光体層の前記第１の反射部とは反対側に配置され、前記蛍光体層で生成された光を反射する第２の反射部と、を有することを特徴とする。
【００１０】
上記照明装置の構成によれば、位相差板と蛍光体層との間の光路中に配置された第１の反射部によって、第１の光束の一部が偏光分離素子に向けて反射され、第１の光束の他の一部が蛍光体層に向けて透過される。また、蛍光体層の第１の反射部とは反対側に配置された第２の反射部によって、蛍光体層で生成された光が反射される。そのため、第１の波長帯の光と第２の波長帯の光とが混ざった照明光を得ることができる。これにより、小型・軽量であり、且つ、照明光を効率的に射出することができる照明装置を提供することが可能となる。
【００１１】
また、前記位相差板として、１／４波長板を用いることが好ましい。
【００１２】
この構成によれば、第１の反射部で反射された光の偏光方向を、第１の光束が偏光分離素子から位相差板へ入射するときの偏光方向から略９０°回転した方向に変換することができる。
【００１３】
また、前記第１の反射部は、拡散反射面であることが好ましい。
【００１４】
この構成によれば、拡散反射面で第１の光束の一部を拡散反射することができる。
【００１５】
また、前記拡散反射面は、前記蛍光体層の表面にテクスチャ加工又はディンプル加工を施すことによって形成してもよい。
【００１６】
この構成によれば、蛍光体層の基材と対向する面とは反対側の面に第１の光束の一部を拡散反射するのに適した拡散反射面を形成することができる。
【００１７】
また、前記第２の反射部は、鏡面反射面であることが好ましい。
【００１８】
この構成によれば、鏡面反射面で蛍光体層で生成された光を鏡面反射することができる。
【００１９】
また、前記鏡面反射面は、前記蛍光体層と前記基材との間に設けられた反射膜であってもよい。
【００２０】
この構成によれば、蛍光体層で生成された光を鏡面反射するのに適した鏡面反射面を得ることができる。
【００２１】
また、前記基材は、前記蛍光体層の前記第１の光束の他の一部が入射する面とは反対側に設けられ、前記鏡面反射面は、前記基材の表面が光反射特性を有することによって構成されていてもよい。
【００２２】
この構成によれば、蛍光体層で生成された光を鏡面反射するのに適した鏡面反射面を得ることができる。
【００２３】
また、前記蛍光体層の側面に設けられた光反射特性を有する無機接着剤によって、前記蛍光体層が前記基材に取り付けられていることが好ましい。
【００２４】
この構成によれば、蛍光体層の側面から漏れ出す光を蛍光体層内へと反射することができるため、蛍光体層で生成された光の光取り出し効率を高めることができる。
【００２５】
また、前記光源として、半導体レーザーを用い、前記偏光分離素子に入射するときの前記第１の光束の偏光方向を、前記偏光分離素子が透過させる偏光光の偏光方向と前記偏光分離素子が反射させる偏光光の偏光方向とのうち何れか一方と一致させることが好ましい。
【００２６】
この構成によれば、高輝度・高出力な照明光が得られると共に、光源の小型化を図ることができる。また、第１の光束の偏光方向を、偏光分離素子が透過させる偏光光の偏光方向と偏光分離素子が反射させる偏光光の偏光方向とのうち何れか一方と一致させることで、偏光分離素子において、半導体レーザーが射出する第１の光束を蛍光発光素子に向かって効率良く反射又は透過することができる。
【００２７】
また、前記光源として、複数の前記半導体レーザーを配列したアレイ光源を用いてもよい。
【００２８】
この構成によれば、複数の半導体レーザーを配列したアレイ光源を用いて、更に高輝度・高出力な照明光を得ることができる。
【００２９】
また、前記光源と前記偏光分離素子との間にコリメータ光学系が配置されていることが好ましい。
【００３０】
この構成によれば、光源から射出された第１の光束を平行光に変換して偏光分離素子に入射させることができる。
【００３１】
また、第３の波長帯の第３の光束を射出する第２光源をさらに有し、前記第１の反射部は、前記第３の光束を前記偏光分離素子に向けて反射することが好ましい。
【００３２】
この構成によれば、第３の光束を色光として利用することができる。よって、第１の波長の光と第２の波長の光と第３の波長の光とが混じった照明光を得ることができる。また、第１の波長の光と第３の波長の光とで光路が共通化されるので、装置の小型化及び低コスト化を図ることができる。また、第３の波長の光は蛍光体層に入射しないので、蛍光体層に入射する励起光の光量が抑えられる。よって、蛍光体層の寿命を延ばすことが可能となる。
【００３３】
また、本発明に係るプロジェクターは、照明光を照射する照明装置と、前記照明光を画像情報に応じて変調した画像光を形成する光変調装置と、前記画像光を投射する投射光学系と、を備え、前記照明装置として、上記何れかの照明装置を用いることを特徴とする。
【００３４】
上記プロジェクターの構成によれば、画像品質に優れた表示を行うことが可能であり、また、更なる小型化も可能である。
【図面の簡単な説明】
【００３５】
【図１】プロジェクターの概略構成を示す平面図である。
【図２】第１の実施形態である照明装置の概略構成を示す平面図である。
【図３】蛍光発光素子が備える発光体層の各構成例を示す平面図である。
【図４】第２の実施形態である照明装置の概略構成を示す平面図である。
【図５】第３の実施形態である照明装置の概略構成を示す平面図である。
【図６】蛍光発光素子が備える発光体層の構成を示す平面図である。
【発明を実施するための形態】
【００３６】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００３７】
［プロジェクター］
先ず、図１に示すプロジェクター１の一例について説明する。
なお、図１は、このプロジェクター１の概略構成を示す平面図である。
【００３８】
このプロジェクター１は、スクリーン（被投射面）ＳＣＲ上にカラー映像（画像）を表示する投射型画像表示装置である。また、このプロジェクター１は、赤色光ＬＲ、緑色光ＬＧ、青色光ＬＢの各色光に対応した３つの光変調装置を用いている。さらに、このプロジェクター１は、照明装置の光源として、高輝度・高出力な光が得られる半導体レーザー（レーザー光源）を用いている。
【００３９】
具体的に、このプロジェクター１は、図１に示すように、照明光ＷＬを照射する照明装置２と、照明装置２からの照明光ＷＬを赤色光ＬＲ、緑色光ＬＧ、青色光ＬＢに分離する色分離光学系３と、各色光ＬＲ，ＬＧ，ＬＢを画像情報に応じて変調し、各色光ＬＲ，ＬＧ，ＬＢに対応した画像光を形成する光変調装置４Ｒ，光変調装置４Ｇ，光変調装置４Ｂと、各光変調装置４Ｒ，４Ｇ，４Ｂからの画像光を合成する合成光学系５と、合成光学系５からの画像光をスクリーンＳＣＲに向かって投射する投射光学系６とを概略備えている。
【００４０】
照明装置２は、半導体レーザーから射出された励起光（青色光）と、この励起光により蛍光体を励起することによって生成された蛍光光（黄色光）とを混ぜることによって照明光（白色光）ＷＬを得るものであり、後述する本発明を適用した照明装置を用いている。そして、この照明装置２は、均一な照度分布を有するように調整された照明光ＷＬを色分離光学系３に向かって照射する。
【００４１】
色分離光学系３は、第１のダイクロイックミラー７ａ及び第２のダイクロイックミラー７ｂと、第１の全反射ミラー８ａ、第２の全反射ミラー８ｂ及び第３の全反射ミラー８ｃと、第１のリレーレンズ９ａ及び第２のリレーレンズ９ｂとを概略備えている。
【００４２】
このうち、第１のダイクロイックミラー７ａは、照明装置２からの照明光ＷＬを赤色光ＬＲとその他の色光ＬＧ，ＬＢとに分離する機能を有し、分離された赤色光ＬＲを透過すると共に、その他の色光ＬＧ，ＬＢを反射する。一方、第２のダイクロイックミラー７ｂは、その他の色光ＬＧ，ＬＢを緑色光ＬＧと青色光ＬＢとに分離する機能を有し、分離された緑色光ＬＧを反射すると共に、青色光ＬＢを透過する。
【００４３】
第１の全反射ミラー８ａは、赤色光ＬＲの光路中に配置されて、第１のダイクロイックミラー７ａを透過した赤色光ＬＲを光変調装置４Ｒに向けて反射する。一方、第２の全反射ミラー８ｂ及び第３の全反射ミラー８ｃは、青色光ＬＢの光路中に配置されて、第２のダイクロイックミラー７ｂを透過した青色光ＬＢを光変調装置４Ｂに向けて反射する。なお、緑色光ＬＧの光路中には、全反射ミラーを配置する必要はなく、緑色光ＬＧについては、第２のダイクロイックミラー７ｂから光変調装置４Ｇに向けて反射される。
【００４４】
第１のリレーレンズ９ａ及び第２のリレーレンズ９ｂは、青色光ＬＢの光路の、第２のダイクロイックミラー７ｂの下流に配置されている。第１のリレーレンズ９ａ及び第２のリレーレンズ９ｂは、青色光ＬＢの光路長が赤色光ＬＲや緑色光ＬＧの光路長よりも長くなることによる青色光ＬＢの光損失を補償する機能を有している。
【００４５】
光変調装置４Ｒ，４Ｇ，４Ｂ各々は、液晶パネルからなり、各色光ＬＲ，ＬＧ，ＬＢを通過させる間に、各色光ＬＲ，ＬＧ，ＬＢを画像情報に応じて変調した画像光を形成する。なお、各光変調装置４Ｒ，４Ｇ，４Ｂの入射側及び射出側には、一対の偏光板（図示せず。）が配置されており、特定の方向の直線偏光の光のみを通過させる仕組みとなっている。
【００４６】
また、各光変調装置４Ｒ，４Ｇ，４Ｂの入射面側には、各光変調装置４Ｒ，４Ｇ，４Ｂに入射する各色光ＬＲ，ＬＧ，ＬＢを平行化するフィールドレンズ１０Ｒ，フィールドレンズ１０Ｇ，フィールドレンズ１０Ｂが配置されている。
【００４７】
合成光学系５は、クロスダイクロイックプリズムからなり、各光変調装置４Ｒ，４Ｇ，４Ｂからの画像光が入射することによって、各色光ＬＲ，ＬＧ，ＬＢに対応した画像光を合成し、この合成された画像光を投射光学系６に向かって射出する。
【００４８】
投射光学系６は、投射レンズ群からなり、合成光学系５により合成された画像光をスクリーンＳＣＲに向かって拡大投射する。これにより、スクリーンＳＣＲ上には、拡大されたカラー映像（画像）が表示される。
【００４９】
［照明装置］
次に、照明装置２に用いられる本発明を適用した照明装置の具体的な実施形態について説明する。
【００５０】
（第１の実施形態）
先ず、第１の実施形態として図２に示す照明装置２０Ａについて説明する。
なお、図２は、この照明装置２０Ａの概略構成を示す平面図である。
【００５１】
この照明装置２０Ａは、図２に示すように、アレイ光源２１と、コリメータ光学系２２と、アフォーカル光学系２３と、ホモジナイザ光学系２４と、偏光分離素子５０Ａを含む光学素子２５Ａと、位相差板２６と、ピックアップ光学系２７と、蛍光発光素子２８と、インテグレータ光学系２９と、偏光変換素子３０と、重畳光学系３１とを概略備えている。
【００５２】
アレイ光源２１は、複数の半導体レーザー２１ａが配列されたものからなる。具体的には、光軸と直交する面内に複数の半導体レーザー２１ａがアレイ状に並ぶことによって構成されている。アレイ光源２１の光軸を光軸ａｘ１とする。また、後述する蛍光発光素子２８から色分離光学系３側に向けて射出される光の光軸を光軸ａｘ２とする。光軸ａｘ１と光軸ａｘ２とは同一平面内にあり、且つ互いに直交している。光軸ａｘ１上においては、アレイ光源２１と、コリメータ光学系２２と、アフォーカル光学系２３と、ホモジナイザ光学系２４と、光学素子２５Ａとが、この順に並んで配置されている。一方、光軸ａｘ２上においては、蛍光発光素子２８と、ピックアップ光学系２７と、位相差板２６と、光学素子２５Ａと、インテグレータ光学系２９と、偏光変換素子３０と、重畳光学系３１とが、この順に並んで配置されている。
【００５３】
半導体レーザー２１ａは、第１の波長帯の第１の光束として、例えば４４０〜４８０ｎｍの波長域にピーク波長を有する励起光（青色光）ＢＬを射出する。また、各半導体レーザー２１ａから射出される励起光ＢＬは、コヒーレントな直線偏光の光であり、偏光分離素子５０Ａに向かって光軸ａｘ１と平行に射出される。
【００５４】
アレイ光源２１では、各半導体レーザー２１ａが射出する励起光ＢＬの偏光方向を、偏光分離素子５０Ａで反射される偏光成分（例えばＳ偏光成分）の偏光方向と一致させている。そして、このアレイ光源２１から射出された励起光ＢＬは、コリメータ光学系２２に入射する。
【００５５】
コリメータ光学系２２は、アレイ光源２１から射出された励起光ＢＬを平行光に変換するものであり、例えば各半導体レーザー２１ａに対応してアレイ状に並んで配置された複数のコリメータレンズ２２ａからなる。そして、このコリメータ光学系２２を通過することにより平行光に変換された励起光ＢＬは、アフォーカル光学系２３に入射する。
【００５６】
アフォーカル光学系２３は、励起光ＢＬのサイズ（スポット径）を調整するものであり、例えば２枚のアフォーカルレンズ２３ａ，アフォーカルレンズ２３ｂから構成されている。そして、このアフォーカル光学系２３を通過することによりサイズが調整された励起光ＢＬは、ホモジナイザ光学系２４に入射する。
【００５７】
ホモジナイザ光学系２４は、励起光ＢＬの光強度分布を均一な状態（いわゆるトップハット分布）に変換するものであり、例えば一対のマルチレンズアレイ２４ａ，マルチレンズアレイ２４ｂからなる。そして、このホモジナイザ光学系２４により光強度分布が均一な状態に変換された励起光ＢＬは、偏光分離素子５０Ａを介して蛍光発光素子２８に入射する。
【００５８】
光学素子２５Ａは、例えば波長選択性を有するダイクロイックプリズムからなり、このダイクロイックプリズムは、光軸ａｘ１に対して４５°の角度をなす傾斜面Ｋを有している。また、この傾斜面Ｋは、光軸ａｘ２に対して４５°の角度をなしている。さらに、光学素子２５Ａは、互いに直交する光軸ａｘ１，ａｘ２の交点と傾斜面Ｋの光学中心とが一致するように配置されている。そして、この傾斜面Ｋには、波長選択性を有する偏光分離素子５０Ａが設けられている。
【００５９】
偏光分離素子５０Ａは、この偏光分離素子５０Ａに入射した第１の波長帯の励起光ＢＬを、この偏光分離素子５０Ａに対するＳ偏光成分（一方の偏光成分）とＰ偏光成分（他方の偏光成分）とに分離する偏光分離機能を有している。そして、この偏光分離素子５０Ａは、励起光ＢＬのＳ偏光成分を反射させ、励起光ＢＬのＰ偏光成分を透過させる。また、偏光分離素子５０Ａは、この偏光分離素子５０Ａに入射した光のうち、第１の波長帯とは異なる第２の波長帯の光を、その偏光状態にかかわらず透過させる色分離機能を有している。なお、光学素子２５Ａとしては、ダイクロイックプリズムのようなプリズム形状のものに限らず、平行平板状のダイクロイックミラーを用いてもよい。
【００６０】
そして、この偏光分離素子５０Ａに入射した励起光ＢＬは、その偏光方向がＳ偏光成分と一致していることから、Ｓ偏光の励起光ＢＬｓとして、蛍光発光素子２８に向かって反射される。
【００６１】
位相差板２６は、偏光分離素子５０Ａと蛍光発光素子２８の蛍光体層３２との間の光路中に配置された１／４波長板（λ／４板）からなる。この位相差板２６に入射するＳ偏光（直線偏光）の励起光ＢＬｓは、円偏光の励起光ＢＬｃに変換された後、ピックアップ光学系２７に入射する。
【００６２】
ピックアップ光学系２７は、励起光ＢＬｃを蛍光体層３２に向かって集光させるものであり、例えばピックアップレンズ２７ａ，ピックアップレンズ２７ｂから構成されている。また、図２には図示していないが、位相差板２６と蛍光体層３２との間の光路中には、第１の反射部３２ａが設けられている。なお、第１の反射部３２ａの構成の詳細については、後述する図３を用いて説明する。
【００６３】
第１の反射部３２ａは、ピックアップ光学系２７から入射した励起光ＢＬｃのうち一部の励起光ＢＬｃ１を偏光分離素子５０Ａに向けて反射し、ピックアップ光学系２７から入射した励起光ＢＬｃのうち他の一部の励起光ＢＬｃ２を蛍光体層３２に向けて透過させる。また、第１の反射部３２ａは、第２の波長帯の光を透過させる。
【００６４】
蛍光発光素子２８は、蛍光体層３２と、この蛍光体層３２を支持する基板（基材）３３とを有している。蛍光発光素子２８では、蛍光体層３２の励起光ＢＬｃ２が入射する側とは反対側の面を基板３３に接触させた状態で、この蛍光体層３２が基板３３に固定支持されている。
【００６５】
蛍光体層３２は、第１の波長帯の光である励起光である励起光ＢＬｃ２を吸収して励起される蛍光体を含み、この励起光ＢＬｃ２により励起された蛍光体は、第１の波長帯とは異なる第２の波長帯の光として、例えば５００〜７００ｎｍの波長域にピーク波長を有する蛍光光（黄色光）を生成する。
【００６６】
蛍光体層３２には、耐熱性及び表面加工性に優れたものを用いることが好ましい。本実施形態のように、蛍光体層３２を回転させない場合、蛍光体層３２の回転による冷却効果は期待できないため、耐熱性が高く、冷却し易い蛍光体層３２を用いる必要がある。例えば、蛍光体層３２としては、アルミナ等の無機バインダ中に蛍光体粒子を分散させた蛍光体層や、バインダを用いずに蛍光体粒子を焼結した蛍光体層などを好適に用いることができる。
【００６７】
一方、これらの蛍光体層３２は内部での屈折率差が小さいため、励起光ＢＬｃの後方散乱は望めない。したがって、蛍光体層３２と位相差板２６との間の光路上に、励起光ＢＬｃの一部を反射する第１の反射部３２ａを設ける。
【００６８】
また、蛍光体層３２を透過した後、第２の反射部で反射して戻ってくる光を照明光ＷＬに利用する方法も考えられるが、この場合、蛍光体層３２によって直線偏光の偏光状態が乱れてしまう。蛍光体層３２によって偏光状態が乱された光は、偏光分離素子５０Ａを透過できない成分を含むため、照明光ＷＬとしての利用効率が低下する。
【００６９】
本実施形態においては、図３（ａ），図３（ｂ），図３（ｃ）に示すように、第１の反射部３２ａが、位相差板２６と蛍光体層３２との間の光路中に設けられている。
【００７０】
第１の反射部３２ａは、蛍光体層３２の励起光ＢＬｃ２が入射する側の面に設けられた拡散反射面からなる。この拡散反射面は、励起光ＢＬｃのうち一部の励起光ＢＬｃ１を偏光分離素子５０Ａに向かって拡散反射する機能を有している。
【００７１】
具体的に、この拡散反射面は、例えば図３（ａ）に示すように、蛍光体層３２の励起光ＢＬｃ２が入射する側の面に、テクスチャ加工を施すことによって形成することができる。この場合、第１の反射部３２ａは、粗面化された表面による後方散乱を利用して、励起光ＢＬｃのうち一部の励起光ＢＬｃ１を偏光分離素子５０Ａに向かって拡散反射することができる。
【００７２】
また、拡散反射面は、例えば図３（ｂ）に示すように、蛍光体層３２の励起光ＢＬｃ２が入射する側の面に、ディンプル加工を施すことによって形成することができる。この場合、第１の反射部３２ａは、凸面が多数形成された表面によるフレネル反射を利用して、励起光ＢＬｃのうち一部の励起光ＢＬｃ１を偏光分離素子５０Ａに向かって拡散反射することができる。
【００７３】
また、拡散反射面は、ディンプル加工により凸面が多数形成されたものに限らず、例えば図３（ｃ）に示すように、ディンプル加工により凹面が多数形成されたものや、ディンプル加工により凸面及び凹面（図示せず。）が多数形成されたもの（凹凸面）であってもよい。
【００７４】
さらに、第１の反射部３２ａの励起光ＢＬｃが入射する側の面には、図示を省略する増反射膜を設けてもよい。この場合、第１の反射部３２ａで反射される励起光ＢＬｃ１の割合を高めることができる。
【００７５】
本実施形態においては、図３（ａ），図３（ｂ），図３（ｃ）に示すように、蛍光体層３２の励起光ＢＬｃが入射する側とは反対側に、第２の反射部３２ｂが設けられている。第２の反射部３２ｂは、鏡面反射面からなる。この鏡面反射面は、蛍光体層３２で生成された蛍光光のうち、一部の蛍光光ＹＬ１を反射する機能を有している。
【００７６】
具体的に、この鏡面反射面は、蛍光体層３２の励起光ＢＬｃ２が入射する側とは反対側の面に、反射膜３２ｃを設けることによって形成することができる。
【００７７】
また、鏡面反射面は、基板３３が光反射特性を有する場合、反射膜３２ｃを省略して、この基板３３の蛍光体層３２と対向する面を鏡面化することによって形成することができる。
【００７８】
また、蛍光発光素子２８では、図２に示すように、蛍光体層３２の側面に設けられた光反射特性を有する無機接着剤Ｓによって、蛍光体層３２が基板３３に固定されている。この場合、光反射特性を有する無機接着剤Ｓによって蛍光体層３２の側面から漏れ出す光を蛍光体層３２内へと反射させることができる。これにより、蛍光体層３２で生成された蛍光光の光取り出し効率を高めることができる。
【００７９】
また、基板３３の蛍光体層３２を支持する面とは反対側の面には、ヒートシンク３４が配置されている。蛍光発光素子２８は、このヒートシンク３４を介して放熱できるため、蛍光体層３２の熱劣化を防ぐことができる。
【００８０】
蛍光体層３２で生成された蛍光光のうち、一部の蛍光光ＹＬ１は、第２の反射部３２ｂによって反射され、蛍光体層３２の外部へと射出される。また、蛍光体層３２で生成された蛍光光のうち、他の一部の蛍光光ＹＬ２は、第２の反射部３２ｂを介さずに蛍光体層３２の外部へと射出される。このようにして、蛍光体層３２から偏光分離素子５０Ａに向かって蛍光光（黄色光）ＹＬが射出される。
【００８１】
第１の反射部３２ａで反射された光（青色光）ＢＬｃ１は、再びピックアップ光学系２７及び位相差板２６を通過する。また、この励起光ＢＬｃ１は、位相差板２６を通過することによって、円偏光からＰ偏光（直線偏光）の励起光ＢＬｐに変換される。そして、この励起光ＢＬｐは、偏光分離素子５０Ａを透過する。
【００８２】
蛍光体層３２から偏光分離素子５０Ａに向かって射出された蛍光光（黄色光）ＹＬは、ピックアップ光学系２７及び位相差板２６を通過する。このとき、蛍光光ＹＬは、偏光方向が揃っていない光束のため、位相差板２６を通過した後も、偏光方向が揃っていない状態のまま偏光分離素子５０Ａに入射する。そして、この蛍光光ＹＬは、偏光分離素子５０Ａを透過する。
【００８３】
そして、偏光分離素子５０Ａを透過する青色である励起光ＢＬｐ及び蛍光光（黄色光）ＹＬが混ざることによって、照明光（白色光）ＷＬが得られる。この照明光ＷＬは、偏光分離素子５０Ａを透過した後に、インテグレータ光学系２９に入射する。なお、色温度の高い白色光（照明光）ＷＬを得るためには、励起光ＢＬｃ１に対する第１の反射部３２ａの反射率を１０〜２５％とすることが好ましく、１５〜２０％とすることがより好ましい。
【００８４】
インテグレータ光学系２９は、輝度分布（照度分布）を均一化するものであり、一対のレンズアレイ２９ａ，レンズアレイ２９ｂからなる。これら一対のレンズアレイ２９ａ，２９ｂは、複数のレンズがアレイ状に配列されたものからなる。そして、このインテグレータ光学系２９を通過することにより輝度分布が均一化された照明光ＷＬは、偏光変換素子３０に入射する。
【００８５】
偏光変換素子３０は、照明光ＷＬの偏光方向を揃えるものであり、例えば偏光分離膜と位相差板とを組み合わせたものからなる。特に、この偏光変換素子３０は、偏光方向が揃っていない蛍光光ＹＬの偏光方向を励起光ＢＬｐの偏光方向（Ｐ偏光）と一致させるため、一方の偏光成分を他方の偏光成分に（例えばＳ偏光成分をＰ偏光成分に）変換する。そして、この偏光変換素子３０を通過することにより偏光方向が揃えられた照明光ＷＬは、重畳光学系３１に入射する。
【００８６】
重畳光学系３１は、重畳レンズ３１ａからなり、照明光ＷＬは、この重畳光学系３１を通過することにより重畳されて、輝度分布が均一化されると共に光線軸周りの軸対称性が高められる。
【００８７】
以上のような構成を有する照明装置２０Ａでは、第１の反射部３２ａで反射された光（青色光）ＢＬｃ１と、蛍光体層３２（蛍光発光素子２８）から射出された蛍光光（黄色光）ＹＬが混ざった照明光（白色光）ＷＬを得ることができる。
【００８８】
この場合、蛍光体層３２を透過した後、第２の反射部３２ｂで反射して戻ってくる励起光を照明光ＷＬに利用する場合に比べて、第１の反射部３２ａで反射された励起光ＢＬｃ１の偏光状態の乱れが小さくなり、偏光分離素子５０Ａの透過率が高くなる。これにより、色温度の高い照明光ＷＬを効率良く得ることができる。また、この照明装置２０Ａでは、更なる小型・軽量化が可能である。
【００８９】
したがって、このような照明装置２０Ａをプロジェクター１が備える照明装置２に適用した場合には、これら照明装置２やプロジェクター１の小型・軽量化を図りつつ、画像品質に優れた表示を行うことが可能となる。
【００９０】
（第２の実施形態）
次に、第２の実施形態として図４に示す照明装置２０Ｂについて説明する。
なお、以下の説明では、図２に示す照明装置２０Ａと同等の部位については、説明を省略すると共に、図面において同じ符号を付すものとする。
【００９１】
この照明装置２０Ｂでは、図４に示すように、光軸ａｘ１上において、アレイ光源２１と、コリメータ光学系２２と、アフォーカル光学系２３と、ホモジナイザ光学系２４と、偏光分離素子５０Ｂを含む光学素子２５Ｂと、位相差板２６と、ピックアップ光学系２７と、蛍光発光素子２８とが、この順に並んで配置されている。また、光軸ａｘ２上において、光学素子２５Ｂと、インテグレータ光学系２９と、偏光変換素子３０と、重畳光学系３１とが、この順に並んで配置されている。
【００９２】
偏光分離素子５０Ｂは、この偏光分離素子５０Ｂに入射した第１の波長帯の励起光ＢＬを、この偏光分離素子５０Ｂに対するＳ偏光成分（一方の偏光成分）とＰ偏光成分（他方の偏光成分）とに分離する偏光分離機能を有している。そして、この偏光分離素子５０Ｂは、励起光ＢＬのＳ偏光成分を反射し、励起光ＢＬのＰ偏光成分を透過する。また、偏光分離素子５０Ｂは、この偏光分離素子５０Ｂに入射した光のうち、第１の波長帯とは異なる第２の波長帯の光を、その偏光状態にかかわらず反射する色分離機能を有している。
【００９３】
そして、この照明装置２０Ｂでは、アレイ光源２１が備える各半導体レーザー２１ａが射出する励起光ＢＬの偏光方向を、偏光分離素子５０Ｂで透過される偏光成分（Ｐ偏光成分）の偏光方向と一致させている。それ以外については、照明装置２０Ａと基本的に同じ構成である。
【００９４】
以上のような構成を有する照明装置２０Ｂでは、偏光分離素子５０Ｂに入射した励起光ＢＬが、Ｐ偏光の励起光ＢＬｐとして、蛍光発光素子２８に向かって透過される。
【００９５】
一方、第１の反射部３２ａで反射された光（青色光）ＢＬｃ１は、再び位相差板２６を通過する。また、この励起光ＢＬｃ１は、位相差板２６を通過することによって、円偏光からＳ偏光（直線偏光）の励起光ＢＬｓに変換される。そして、このＳ偏光の励起光ＢＬｓは、偏光分離素子５０Ｂでインテグレータ光学系２９に向かって反射される。同様に、蛍光体層３２（蛍光発光素子２８）から射出された蛍光光（黄色光）ＹＬは、偏光分離素子５０Ｂでインテグレータ光学系２９に向かって反射される。
【００９６】
以上のような構成を有する照明装置２０Ｂでは、第１の反射部３２ａで反射された光（青色光）ＢＬｃ１と、蛍光体層３２（蛍光発光素子２８）から射出された蛍光光（黄色光）ＹＬが混ざった照明光（白色光）ＷＬを得ることができる。
【００９７】
この場合、蛍光体層３２を透過した後、第２の反射部３２ｂで反射して戻ってくる励起光を照明光ＷＬに利用する場合に比べて、第１の反射部３２ａで反射された励起光ＢＬｃ１の偏光状態の乱れが小さくなり、偏光分離素子５０Ｂの反射率が高くなる。これにより、色温度の高い照明光ＷＬを効率良く得ることができる。また、この照明装置２０Ａでは、更なる小型・軽量化が可能である。
【００９８】
したがって、このような照明装置２０Ｂをプロジェクター１が備える照明装置２に適用した場合には、これら照明装置２やプロジェクター１の小型・軽量化を図りつつ、画像品質に優れた表示を行うことが可能となる。
【００９９】
（第３の実施形態）
次に、第３の実施形態として図５に示す照明装置２０Ｃについて説明する。
なお、以下の説明では、図２に示す照明装置２０Ａと同等の部位については、説明を省略すると共に、図面において同じ符号を付すものとする。
【０１００】
この照明装置２０Ｃでは、図５に示すように、光軸ａｘ１上において、アレイ光源１２１と、コリメータ光学系２２と、アフォーカル光学系２３と、ホモジナイザ光学系２４と、偏光分離素子５０Ｃを含む光学素子２５Ｃとが、この順に並んで配置されている。また、光軸ａｘ２上において、蛍光発光素子１２８と、ピックアップ光学系２７と、位相差板２６と、光学素子２５Ｃと、インテグレータ光学系２９と、偏光変換素子３０と、重畳光学系３１とが、この順に並んで配置されている。
【０１０１】
本実施形態において、アレイ光源１２１は、複数の半導体レーザー２１ａがアレイ状に並ぶことによって構成される第１アレイ光源１２１Ａと、複数の半導体レーザー２１ｂがアレイ状に並ぶことによって構成される第２アレイ光源（第２光源）１２１Ｂとを含む。なお、図５においては、簡略化のため、１個の半導体レーザー２１ａと１個の半導体レーザー２１ｂを描いてある。
【０１０２】
半導体レーザー２１ｂは、第３の波長帯の第３の光束として、例えば６３０〜６４５ｎｍの波長域にピーク波長を有する赤色光ＲＬを射出する。また、各半導体レーザー２１ｂから射出される赤色光ＲＬは、コヒーレントな直線偏光の光であり、偏光分離素子５０Ｃに向かって光軸ａｘ１と平行に射出される。なお、本実施形態では、半導体レーザー２１ａは、第１の波長帯の第１の光束として、例えば４４０〜４５０ｎｍ、又は４５５〜４６５ｎｍの波長域にピーク波長を有する励起光（青色光）ＢＬを射出する。
【０１０３】
アレイ光源１２１では、半導体レーザー２１ａが射出する励起光ＢＬの偏光方向と、半導体レーザー２１ｂが射出する赤色光ＲＬの偏光方向とを、偏光分離素子５０Ｃで反射される偏光成分（例えばＳ偏光成分）の偏光方向と一致させている。そして、このアレイ光源２１から射出された励起光ＢＬ及び赤色光ＲＬは、コリメータ光学系２２に入射する。
【０１０４】
コリメータ光学系２２は、各半導体レーザー２１ａ、２１ｂに対応してアレイ状に並んで配置された複数のコリメータレンズ２２ａを有する。コリメータ光学系２２は、アレイ光源１２１から射出された励起光ＢＬ及び赤色光ＲＬを平行光に変換する。このコリメータ光学系２２によって平行光に変換された励起光ＢＬ及び赤色光ＲＬは、アフォーカル光学系２３に入射する。
【０１０５】
アフォーカル光学系２３は、励起光ＢＬ及び赤色光ＲＬのサイズ（スポット径）を調整する。アフォーカル光学系２３を通過することによりサイズが調整された励起光ＢＬ及び赤色光ＲＬは、ホモジナイザ光学系２４に入射する。
【０１０６】
ホモジナイザ光学系２４は、励起光ＢＬ及び赤色光ＲＬの光強度分布を均一な状態（いわゆるトップハット分布）に変換する。ホモジナイザ光学系２４により光強度分布が均一な状態に変換された励起光ＢＬ及び赤色光ＲＬは、偏光分離素子５０Ｃを介して蛍光発光素子１２８に入射する。
【０１０７】
光学素子２５Ｃの傾斜面Ｋには、波長選択性を有する偏光分離素子５０Ｃが設けられている。
偏光分離素子５０Ｃは、この偏光分離素子５０Ｃに入射した第１の波長帯の励起光ＢＬ及び第３の波長帯の赤色光ＲＬを、この偏光分離素子５０Ｃに対するＳ偏光成分（一方の偏光成分）とＰ偏光成分（他方の偏光成分）とに分離する偏光分離機能を有している。そして、この偏光分離素子５０Ｃは、励起光ＢＬのＳ偏光成分及び赤色光ＲＬのＳ偏光成分を反射し、励起光ＢＬのＰ偏光成分及び赤色光ＲＬのＰ偏光成分を透過する。また、偏光分離素子５０Ｃは、この偏光分離素子５０Ｃに入射した光のうち、第１の波長帯とは異なる第２の波長帯の光を、その偏光状態にかかわらず反射する色分離機能を有している。
【０１０８】
この偏光分離素子５０Ｃに入射した励起光ＢＬ及び赤色光ＲＬは、その偏光方向がＳ偏光成分と一致していることから、Ｓ偏光の励起光ＢＬｓ及び赤色光ＲＬｓとして、蛍光発光素子１２８に向かって反射され、位相差板２６に入射する。位相差板２６に入射したＳ偏光（直線偏光）の励起光ＢＬｓ及びＳ偏光（直線偏光）の赤色光ＲＬｓは、円偏光の励起光ＢＬｃ及び円偏光の赤色光ＲＬｃに変換された後、ピックアップ光学系２７に入射する。
【０１０９】
ここで、本実施形態における第１の反射部１３２ａの構成について図６を用いて説明する。本実施形態において、第１の反射部１３２ａは、ピックアップ光学系２７から入射した励起光ＢＬｃのうち一部の励起光ＢＬｃ１を偏光分離素子５０Ａに向けて反射し、ピックアップ光学系２７から入射した励起光ＢＬｃのうち他の一部の励起光ＢＬｃ２を蛍光体層１３２に向けて透過させる。また、第１の反射部１３２ａは、その表面に反射膜１３３を備えている。反射膜１３３は、ピックアップ光学系２７から入射した赤色光ＲＬｃの全部を偏光分離素子５０Ａに向けて反射する。また、反射膜１３３を含む第１の反射部１３２ａは、第２の波長帯の光を透過させる。
【０１１０】
なお、蛍光体層１３２の表面に、励起光ＢＬｃのうち一部の励起光ＢＬｃ１を反射し、他の一部の励起光ＢＬｃ２を透過させ、赤色光ＲＬｃの全部を反射させ、第２の波長帯の光を透過させる誘電体多層膜を設けてもよい。この誘電体多層膜は第１の反射部１３２ａに相当する。
【０１１１】
本実施形態において、蛍光体層１３２は、第１の波長帯の光である励起光である励起光ＢＬｃ２を吸収して励起される蛍光体を含み、この励起光ＢＬｃ２により励起された蛍光体は、第１の波長帯とは異なる第２の波長帯の光として、例えば５００〜６００ｎｍの波長域にピーク波長を有する蛍光光（緑色光）ＧＬを生成する。
【０１１２】
本実施形態においては、図６に示すように、第１の反射部１３２ａが、位相差板２６と蛍光体層３２との間の光路中に設けられている。
第１の反射部１３２ａは、蛍光体層１３２の励起光ＢＬｃ２が入射する側の面に設けられた拡散反射面を有し、該拡散反射面には上記反射膜１３３が設けられている。この拡散反射面は、励起光ＢＬｃのうち一部の励起光ＢＬｃ１及び赤色光ＲＬｃの全てを偏光分離素子５０Ａに向かって拡散反射する。
【０１１３】
本実施形態において、拡散反射面は、ディンプル加工により凹面が多数形成されたものから構成される。なお、拡散反射面の構成は、これに限定されず、図３（ａ）に示したようにテクスチャ加工を施すことによって形成してもよいし、図３（ｃ）に示したようにディンプル加工によって多数の凸面を形成しフレネル反射を利用する態様であってもよい。
【０１１４】
本実施形態において、蛍光体層１３２で生成された蛍光光ＧＬのうち、一部の蛍光光ＧＬ１は、第２の反射部３２ｂによって反射され、蛍光体層１３２の外部へと射出される。また、蛍光体層１３２で生成された蛍光光ＧＬのうち、他の一部の蛍光光ＧＬ２は、第２の反射部３２ｂを介さずに蛍光体層１３２の外部へと射出される。このようにして、蛍光体層１３２から偏光分離素子５０Ｃに向かって蛍光光（緑色光）ＧＬが射出される（図５参照）。
【０１１５】
第１の反射部１３２ａで反射された励起光（青色光）ＢＬｃ１及び赤色光ＲＬｃは、再びピックアップ光学系２７及び位相差板２６を通過する。また、この励起光ＢＬｃ１及び赤色光ＲＬｃは、位相差板２６を通過することによって、円偏光からＰ偏光（直線偏光）の励起光ＢＬｐ及びＰ偏光（直線偏光）の赤色光ＲＬｐに変換される。そして、この励起光ＢＬｐ及び赤色光ＲＬｐは、偏光分離素子５０Ｃを透過する。
【０１１６】
蛍光体層１３２から偏光分離素子５０Ｃに向かって射出された蛍光光（緑色光）ＧＬは、ピックアップ光学系２７及び位相差板２６を通過する。このとき、蛍光光ＧＬは、偏光方向が揃っていない光束のため、位相差板２６を通過した後も、偏光方向が揃っていない状態のまま偏光分離素子５０Ｃに入射する。そして、この蛍光光ＧＬは、偏光分離素子５０Ｃを透過する。
【０１１７】
そして、偏光分離素子５０Ｃを透過する青色である励起光ＢＬｐ、赤色である赤色光ＲＬｐ、及び蛍光光（緑色光）ＧＬが混ざることによって、照明光（白色光）ＷＬが得られる。この照明光ＷＬは、偏光分離素子５０Ｃを透過した後に、インテグレータ光学系２９に入射する。なお、色温度の高い白色光（照明光）ＷＬを得るためには、励起光ＢＬｃ１に対する第１の反射部１３２ａの反射率を１０〜２５％とすることが好ましく、２０％程度とすることがより好ましい。また、蛍光体層１３２内に入射した励起光ＢＬｃのうちの一部の励起光ＢＬｃ２の５０％が蛍光光（緑色光）ＧＬとして外部に射出されることが好ましい。
【０１１８】
以上のような構成を有する照明装置２０Ｃでは、第１の反射部１３２ａで反射された光（青色光）ＢＬｃ１及び光（赤色光）ＲＬｃと、蛍光体層１３２（蛍光発光素子１２８）から射出された蛍光光（緑色光）ＧＬが混ざった照明光（白色光）ＷＬを得ることができる。
【０１１９】
また、本実施形態では、蛍光体層１３２で緑色の蛍光光ＧＬを生成しているので、黄色の蛍光光を生成する蛍光体層３２に比べ、効率的に蛍光を発生させることができる。また、赤色の赤色光ＲＬを全反射させて色光として利用しているので、蛍光体層１３２内への励起光の照射光量が低減され、蛍光体層１３２の長寿命化を図ることができる。
【０１２０】
なお、本発明は、上記実施形態のものに必ずしも限定されるものではなく、本発明の趣旨を逸脱しない範囲において種々の変更を加えることが可能である。
例えば、上記実施形態では、複数の半導体レーザー２１ａを配列したアレイ光源２１を例示したが、照明装置２０Ａ，照明装置２０Ｂが備える光源については、このような構成に限らず、１つの光源からなるものであってもよい。さらに、光源としては、半導体レーザー２１ａを好適に用いることができるが、例えば発光ダイオード（ＬＥＤ）などの固体発光素子を用いてもよい。
【０１２１】
また、上記実施形態では、３つの光変調装置４Ｒ，４Ｇ，４Ｂを備えるプロジェクター１を例示したが、１つの光変調装置でカラー映像（画像）を表示するプロジェクターに適用することも可能である。さらに、光変調装置としては、液晶パネルに限らず、例えばデジタルミラーデバイス（ＤＭＤ：米国テキサスインツルメンツ社の登録商標）などを用いることもできる。
【０１２２】
また、照明装置２０Ａ，２０Ｂは、蛍光体層３２に第１の反射部３２ａと第２の反射部３２ｂとが設けられた構成となっているが、蛍光体層３２に向かって進行する励起光ＢＬｃの一部の励起光ＢＬｃ１を反射する第１の反射部と、蛍光体層３２で生成された蛍光光の一部の蛍光光ＹＬ１を反射する第２の反射部については、蛍光体層３２とは別体に設けることも可能である。この場合、第１の反射部については、蛍光体層３２と位相差板２６との間の光路中に設ければよい。一方、第２の反射部については、蛍光体層３２の励起光ＢＬｃ２が入射する側とは反対側に設ければよい。
【符号の説明】
【０１２３】
１…プロジェクター、２…照明装置、３…色分離光学系、４Ｒ，４Ｇ，４Ｂ…光変調装置、５…合成光学系、６…投射光学系、７ａ…第１のダイクロイックミラー、７ｂ…第２のダイクロイックミラー、８ａ…第１の全反射ミラー、８ｂ…第２の全反射ミラー、８ｃ…第３の全反射ミラー、９ａ…第１のリレーレンズ、９ｂ…第２のリレーレンズ、１０Ｒ，１０Ｇ，１０Ｂ…フィールドレンズ、２０Ａ，２０Ｂ，２０Ｃ…照明装置、２１，１２１…アレイ光源、２１ａ，２１ｂ…半導体レーザー、２２…コリメータ光学系、２３…アフォーカル光学系、２４…ホモジナイザ光学系、２５Ａ，２５Ｂ，２５Ｃ…光学素子、２６…位相差板、２７…ピックアップ光学系、２８，１２８…蛍光発光素子、２９…インテグレータ光学系、３０…偏光変換素子、３１…重畳光学系、３２，１３２…蛍光体層、３２ａ，１３２ａ…第１の反射部、３２ｂ…第２の反射部、３３…基板（基材）、３４…ヒートシンク、５０Ａ，５０Ｂ，５０Ｃ…偏光分離素子、ＳＣＲ…スクリーン、ＷＬ…白色光（照明光）、ＬＲ…赤色光、ＬＧ…緑色光、ＬＢ…青色光、ＢＬ…励起光（青色光）、ＢＬｓ…Ｓ偏光の励起光、ＢＬｐ…Ｐ偏光の励起光、ＢＬｃ…円偏光の励起光、ＢＬｃ１…励起光の一部の光、ＢＬｃ２…励起光の他の一部の光、ＹＬ…蛍光光（黄色光）、ＲＬ…励起光（赤色光）、ＲＬｓ…Ｓ偏光の赤色光、ＲＬｐ…Ｐ偏光の赤色光、ＲＬｃ…円偏光の励起光、ＧＬ…蛍光光（緑色光）、ＧＬ１…蛍光光の一部の光、ＧＬ２…蛍光光の他の一部の光
【図１】
2014199401.tif 000003
【図２】
2014199401.tif 000004
【図３】
2014199401.tif 000005
【図４】
2014199401.tif 000006
【図５】
2014199401.tif 000007
【図６】
2014199401.tif 000008